【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
細長い部材を含む骨トラスであって、該細長い部材の各々は、
骨の中に実質的に完全に挿入されることと、
次に、該細長い部材のうちの別のものに係止されることと
が行われるように構成され、該細長い部材は、該骨の内側に三角形の領域を画定する、トラス。
【請求項２】
前記細長い部材は、軟骨下部材を含む、請求項１に記載のトラス。
【請求項３】
前記骨は、二分縦断面を画定し、
前記細長い部材は、第１の斜め部材をさらに含み、該第１の斜め部材は、第１の軟骨下位置から、第１の軟骨下部材から該面を斜めに横断する第２の骨幹位置まで及ぶように構成される、請求項２に記載のトラス。
【請求項４】
前記細長い部材は、第２の斜め部材をさらに含み、該第２の斜め部材は、第２の軟骨下位置から、該第２の軟骨下位置から前記面を斜めに横断する第１の骨幹位置まで及ぶように構成される、請求項３に記載のトラス。
【請求項５】
前記軟骨下部材は、管状である、請求項４に記載のトラス。
【請求項６】
前記第１の斜め部材は、管状である、請求項５に記載のトラス。
【請求項７】
前記細長い部材は、前記第１の骨幹位置から前記第２の骨幹位置まで及ぶ骨幹部材をさらに含む、請求項４に記載のトラス。
【請求項８】
前記軟骨下部材は、軟骨下管状構造を含む、請求項７に記載のトラス。
【請求項９】
前記軟骨下管状構造は、複数のセルのうちの１つであるセルを含み、各セルは、骨アンカーを受容するように構成される、請求項８に記載のトラス。
【請求項１０】
前記セルは、開放セルである、請求項９に記載のトラス。
【請求項１１】
前記セルは、閉鎖セルである、請求項１０に記載のトラス。
【請求項１２】
前記軟骨下管状構造は、拡張可能である、請求項９に記載のトラス。
【請求項１３】
前記第１の斜め部材は、斜め管状構造を含み、
該斜め管状構造は、前記第１の軟骨下位置において前記軟骨下管状構造に直接接合されるように構成される、請求項８に記載のトラス。
【請求項１４】
前記骨幹部材は、骨幹管状構造を含む、請求項８に記載のトラス。
【請求項１５】
前記骨幹管状構造は、複数のセルのうちの１つであるセルを含み、各セルは、骨アンカーを受容するように構成される、請求項１４に記載のトラス。
【請求項１６】
前記セルは、開放セルである、請求項１５に記載のトラス。
【請求項１７】
前記セルは、閉鎖セルである、請求項１６に記載のトラス。
【請求項１８】
前記骨幹管状構造は、拡張可能である、請求項１５に記載のトラス。
【請求項１９】
前記骨幹部材は、前記第２の骨幹位置において前記第１の斜め部材に直接接合されるように構成される、請求項１４に記載のトラス。
【請求項２０】
前記第２の斜め部材は、圧縮力を前記骨の縦軸に対して外向き半径方向に前記第１の骨幹位置まで伝達するように構成され、
前記骨幹部材は、引張力を該縦軸に対して内向き半径方向に該第１の骨幹位置まで伝達するように構成される、請求項１４に記載のトラス。
【請求項２１】
前記第２の斜め部材および前記骨幹部材は、前記外向き半径方向力が前記内向き半径方向力の大きさとほぼ同じである大きさを有するように構成される、請求項２０に記載のトラス。
【請求項２２】
前記第１の斜め部材と前記第２の斜め部材とは、結節を形成するように構成され得、
該第１の斜め部材は、圧縮力を前記第１の軟骨下位置から該結節まで伝達するように構成され、
該結節は、
該圧縮力の第１の部分を該第１の斜め部材に沿って前記第２の骨幹位置まで伝達することと、
該圧縮力の第２の部分を該第２の斜め部材に沿って前記第１の骨幹位置まで伝達することと
を行うように構成される、請求項１９に記載のトラス。
【請求項２３】
前記第１の斜め部材および前記第２の斜め部材は、結節を形成するように構成され得、
該第２の斜め部材は、圧縮力を前記第１の軟骨下位置から該結節まで伝達するように構成され、
該結節は、
該圧縮力の第１の部分を該第１の斜め部材に沿って前記第２の骨幹位置まで伝達することと、
該圧縮力の第２の部分を該第２の斜め部材に沿って前記第１の骨幹位置まで伝達することと
を行うように構成される、請求項１９に記載のトラス。
【請求項２４】
骨用の管状インプラントであって、該管状インプラントは、
載荷位置において該骨に軟骨下で連結するように構成される第１の端部と、
骨幹位置において該骨に連結するように構成される第２の端部であって、該骨幹位置は、該載荷位置から該骨の縦方向二分面を横断する、第２の端部と
を含む、インプラント。
【請求項２５】
前記第２の端部は、表面において終端し、該表面は、前記インプラントの長さに対して傾斜し、前記骨の骨幹表面と実質的に平行である、請求項２４に記載の管状インプラント。
【請求項２６】
内側管状表面をさらに含み、前記第２の端部は、該内側管状表面にアンカー受容特徴を含み、該アンカー受容特徴は、該アンカー受容特徴に隣接する皮質骨、および該アンカー受容特徴から前記骨の前記縦方向二分面を横断する皮質骨を貫通するように構成されるアンカーを受容するように構成される、請求項２５に記載の管状インプラント。
【請求項２７】
前記第２の端部において、前記内側管状表面は、前記皮質骨の内壁と該皮質骨の外壁との間に前記アンカーの頭部の一部分を収容するポケットを画定する、請求項２５に記載の管状インプラント。
【請求項２８】
第１の細長い窓および該第１の細長い窓の反対側の第２の細長い窓を画定する管状壁をさらに含み、該第１および第２の細長い窓の各々は、アンカーの本体を受容し、該アンカーの係合特徴に係合するように構成される、請求項２４に記載の管状インプラント。
【請求項２９】
前記第１および第２の細長い窓は、前記アンカーを前記管状インプラントに対してある角度で協働して補強するように構成され、該角度は、該アンカーが該第１の細長い窓に進入する角度によって決定される、請求項２８に記載の管状インプラント。
【請求項３０】
拡張可能である、請求項２４に記載の管状インプラント。
【請求項３１】
アンカー受容セルのウェブを含む、請求項３０に記載の管状インプラント。
【請求項３２】
骨の端部を治療するためのシステムであって、該システムは、
該骨の縦軸を横断する細長い軟骨下空洞の中で拡張されるように構成されたアンカー受容セルのウェブを含み、
該ウェブは、該骨の一部分に固着されるアンカーと係合するように構成されている、
システム。
【請求項３３】
前記ウェブは、中心軸と、該中心軸に沿って変化する直径とを有する、請求項３２に記載のシステム。
【請求項３４】
第１の細長い窓および該第１の細長い窓の反対側の第２の細長い窓を画定する管壁を含むアンカー受容骨支持材であって、該第１および第２の細長い窓の各々は、アンカーの本体によって横断され、該アンカーの係合特徴によって係合されるように構成される、支持材。
【請求項３５】
前記第１および第２の細長い窓は、前記アンカーを前記管状インプラントに対してある角度で協働して補強するように構成され、該角度は、（ａ）該インプラントに垂直な角度から、（ｂ）該管状インプラントの外径、該アンカーの半径、および該第１の細長い窓の端部と該第２の細長い窓の端部との間の縦方向変位によって画定される角度まで及ぶ、請求項３４に記載の支持材。
【請求項３６】
前記管壁が第１の管壁であるとき、前記第１および第２の細長い窓に沿って異なる位置まで移動させられるように構成される横断スロットを有する第２の管壁をさらに含み、該横断スロットは、前記アンカーの本体によって横断され、該アンカーの係合特徴によって係合されるように構成される、請求項３４に記載の支持材。
【請求項３７】
前記第１の管壁は、前記第２の管壁の内側で入れ子になる、請求項３６に記載の支持材。
【請求項３８】
前記第２の管壁は、前記第１の管壁の内側で入れ子になる、請求項３６に記載の支持材。
【請求項３９】
前記第１の細長い窓、前記第２の細長い窓、および前記横断スロットは、前記アンカーを前記第１の管壁の縦軸に対する回転に対して協働して補強するように構成される、請求項３６に記載の支持材。
【請求項４０】
管状骨支持材であって、該骨支持材は、
アンカー受容セルの管状ウェブと、
該骨支持材を骨内部領域に送達するためのアクセス穴を鋸で切るように構成される、鋸歯のリングと
を含む、骨支持材。
【請求項４１】
前記内部領域に送達された後に、骨支持材トラスの中に係止されるように構成される、請求項４０に記載の管状骨支持材。
【請求項４２】
前記ウェブと縦方向に連続している中実管をさらに含む、請求項４０に記載の管状支持材。
【請求項４３】
骨アンカー基板であって、該基板は、
アンカー受容特徴の第１のウェブを含む第１の細長い部材と、
アンカー受容特徴の第２のウェブを含む第２の細長い部材と
を含み、該第２の細長い部材は、骨の内部領域の中で該第１の細長い部材に平行に配備されるように構成される、基板。
【請求項４４】
前記第１の細長い部材は、第１の送達状態直径を有し、内径を有するガイドチューブを通して前記内部領域に送達されるように構成されており、
前記第２の細長い部材は、第２の送達状態直径を有し、該ガイドチューブを通して該内部領域に送達されるように構成されており、
該第１の送達状態直径と第２の送達状態直径との合計は、該内径よりも大きい、請求項４３に記載の骨アンカー基板。
【請求項４５】
前記第１の細長い部材は、第１の送達状態直径を有し、内径を有するガイドチューブを通して前記内部領域に送達されるように構成されており、
前記第２の細長い部材は、第２の送達状態直径を有し、該ガイドチューブを通して該内部領域に送達されるように構成されており、
該第１の送達状態直径と第２の送達状態直径との合計は、該内径よりも小さい、請求項４３に記載の骨アンカー基板。
【請求項４６】
前記第１の細長い部材は、第１の縦軸を有し、
前記第２の細長い部材は、第２の縦軸を有し、
該第１および第２の細長い部材は、前記内部領域の中に配備されており、該第１の縦軸と第２の縦軸とは、実質的に平行である、請求項４３に記載の骨アンカー基板。
【請求項４７】
前記骨アンカー基板が中心軸を有するとき、
前記第１の細長い部材は、第１の縦軸を有し、
前記第２の細長い部材は、第２の縦軸を有し、
該第１および第２の細長い部材が拡張可能であるとき、該内部領域の中において、該第１および第２の縦軸は、該中心軸の周りに実質的に円錐形に配設される、請求項４３に記載の骨アンカー基板。
【請求項４８】
前記第１のウェブは、第１のアンカー受容特徴を含み、
前記第２のウェブは、第２のアンカー受容特徴を含み、
該第１および第２のアンカー受容特徴は、前記骨の断片を貫通する骨アンカーに係合するように相互に十分に整列させられる、請求項４３に記載の骨アンカー基板。
【請求項４９】
前記第１および第２の細長い部材は、細長い部材のグループの部材であり、該グループの各部材は、前記骨の前記内部領域の中に該グループの別の部材と平行に配備されるように構成される、請求項４８に記載の骨アンカー基板。
【請求項５０】
前記グループの第１の部材は、該グループの第２の部材を介して第１の骨の断片から第２の骨の断片まで荷重を伝達するように構成される、請求項４９に記載の骨アンカー基板。
【請求項５１】
前記グループの前記第１の部材と第２の部材とは、表面接触を介して相互に荷重を伝達する、請求項５０記載の骨アンカー基板。
【請求項５２】
前記グループの前記第１の部材と第２の部材とは、連結器を介して相互に荷重を伝達する、請求項５０記載の骨アンカー基板。
【請求項５３】
前記グループの前記第１の部材と第２の部材とは、アンカーを介して相互に荷重を伝達する、請求項５０記載の骨アンカー基板。
【請求項５４】
連結器をさらに含み、該連結器は、力に応答して前記第１の細長い部材からの前記第２の細長い部材の離反に抵抗するように構成される、請求項４３記載の骨アンカー基板。
【請求項５５】
前記連結器は、前記第１の細長い部材と前記第２の細長い部材との移動中の離反に骨アンカーによって抵抗するように構成される、請求項４３記載の骨アンカー基板。
【請求項５６】
前記連結器は、前記第１の細長い部材と前記第２の細長い部材との載荷中の離反に骨アンカーによって抵抗するように構成される、請求項４３記載の骨アンカー基板。
【請求項５７】
前記第１の細長い部材および前記第２の細長い部材のうちの１つは、拡張可能である、請求項４３記載の骨アンカー基板。
【請求項５８】
前記第１の細長い部材および前記第２の細長い部材のうちの１つは、該細長い部材の長さに沿って変化する半径を有する、請求項４３記載の骨アンカー基板。
【請求項５９】
前記第１のアンカー受容特徴は、開放セルのウェブの中に開放セルを含む、請求項４３記載の骨アンカー基板。
【請求項６０】
前記第１のアンカー受容特徴は、閉鎖セルのウェブの中に閉鎖セルを含む、請求項４３記載の骨アンカー基板。
【請求項６１】
前記第１のアンカー受容特徴は、アンカー受容スロットを画定する管状部分を含む、請求項４３記載の骨アンカー基板。
【請求項６２】
前記第１のアンカー受容特徴は、アンカー受容穴を画定する管状部分を含む、請求項４３記載の骨アンカー基板。
【請求項６３】
複数の細長い部材をさらに含み、前記連結器は、該複数の細長い部材の各々の離反、前記第１の細長い部材および前記第２の細長い部材の該複数の細長い部材のうちの別のものからの離反、ならびに該第１の細長い部材と該第２の細長い部材との離反に抵抗するようにさらに構成される、請求項４３記載の骨アンカー基板。
【手続補正２】
【補正対象書類名】明細書
【補正対象項目名】００１０
【補正方法】変更
【補正の内容】
【００１０】
本発明は、例えば、以下を提供する：
（項目１）
細長い部材を含む骨トラスであって、該細長い部材の各々は、
骨の中に実質的に完全に挿入されることと、
次に、該細長い部材のうちの別のものに係止されることと
が行われるように構成され、該細長い部材は、該骨の内側に三角形の領域を画定する、トラス。
（項目２）
前記細長い部材は、軟骨下部材を含む、項目１に記載のトラス。
（項目３）
前記骨は、二分縦断面を画定し、
前記細長い部材は、第１の斜め部材をさらに含み、該第１の斜め部材は、第１の軟骨下位置から、第１の軟骨下部材から該面を斜めに横断する第２の骨幹位置まで及ぶように構成される、項目２に記載のトラス。
（項目４）
前記細長い部材は、第２の斜め部材をさらに含み、該第２の斜め部材は、第２の軟骨下位置から、該第２の軟骨下位置から前記面を斜めに横断する第１の骨幹位置まで及ぶように構成される、項目３に記載のトラス。
（項目５）
前記軟骨下部材は、管状である、項目４に記載のトラス。
（項目６）
前記第１の斜め部材は、管状である、項目５に記載のトラス。
（項目７）
前記細長い部材は、前記第１の骨幹位置から前記第２の骨幹位置まで及ぶ骨幹部材をさらに含む、項目４に記載のトラス。
（項目８）
前記軟骨下部材は、軟骨下管状構造を含む、項目７に記載のトラス。
（項目９）
前記軟骨下管状構造は、複数のセルのうちの１つであるセルを含み、各セルは、骨アンカーを受容するように構成される、項目８に記載のトラス。
（項目１０）
前記セルは、開放セルである、項目９に記載のトラス。
（項目１１）
前記セルは、閉鎖セルである、項目１０に記載のトラス。
（項目１２）
前記軟骨下管状構造は、拡張可能である、項目９に記載のトラス。
（項目１３）
前記第１の斜め部材は、斜め管状構造を含み、
該斜め管状構造は、前記第１の軟骨下位置において前記軟骨下管状構造に直接接合されるように構成される、項目８に記載のトラス。
（項目１４）
前記骨幹部材は、骨幹管状構造を含む、項目８に記載のトラス。
（項目１５）
前記骨幹管状構造は、複数のセルのうちの１つであるセルを含み、各セルは、骨アンカーを受容するように構成される、項目１４に記載のトラス。
（項目１６）
前記セルは、開放セルである、項目１５に記載のトラス。
（項目１７）
前記セルは、閉鎖セルである、項目１６に記載のトラス。
（項目１８）
前記骨幹管状構造は、拡張可能である、項目１５に記載のトラス。
（項目１９）
前記骨幹部材は、前記第２の骨幹位置において前記第１の斜め部材に直接接合されるように構成される、項目１４に記載のトラス。
（項目２０）
前記第２の斜め部材は、圧縮力を前記骨の縦軸に対して外向き半径方向に前記第１の骨幹位置まで伝達するように構成され、
前記骨幹部材は、引張力を該縦軸に対して内向き半径方向に該第１の骨幹位置まで伝達するように構成される、項目１４に記載のトラス。
（項目２１）
前記第２の斜め部材および前記骨幹部材は、前記外向き半径方向力が前記内向き半径方向力の大きさとほぼ同じである大きさを有するように構成される、項目２０に記載のトラス。
（項目２２）
前記第１の斜め部材と前記第２の斜め部材とは、結節を形成するように構成され得、
該第１の斜め部材は、圧縮力を前記第１の軟骨下位置から該結節まで伝達するように構成され、
該結節は、
該圧縮力の第１の部分を該第１の斜め部材に沿って前記第２の骨幹位置まで伝達することと、
該圧縮力の第２の部分を該第２の斜め部材に沿って前記第１の骨幹位置まで伝達することと
を行うように構成される、項目１９に記載のトラス。
（項目２３）
前記第１の斜め部材および前記第２の斜め部材は、結節を形成するように構成され得、
該第２の斜め部材は、圧縮力を前記第１の軟骨下位置から該結節まで伝達するように構成され、
該結節は、
該圧縮力の第１の部分を該第１の斜め部材に沿って前記第２の骨幹位置まで伝達することと、
該圧縮力の第２の部分を該第２の斜め部材に沿って前記第１の骨幹位置まで伝達することと
を行うように構成される、項目１９に記載のトラス。
（項目２４）
骨用の管状インプラントであって、該管状インプラントは、
載荷位置において該骨に軟骨下で連結するように構成される第１の端部と、
骨幹位置において該骨に連結するように構成される第２の端部であって、該骨幹位置は、該載荷位置から該骨の縦方向二分面を横断する、第２の端部と
を含む、インプラント。
（項目２５）
前記第２の端部は、表面において終端し、該表面は、前記インプラントの長さに対して傾斜し、前記骨の骨幹表面と実質的に平行である、項目２４に記載の管状インプラント。
（項目２６）
内側管状表面をさらに含み、前記第２の端部は、該内側管状表面にアンカー受容特徴を含み、該アンカー受容特徴は、該アンカー受容特徴に隣接する皮質骨、および該アンカー受容特徴から前記骨の前記縦方向二分面を横断する皮質骨を貫通するように構成されるアンカーを受容するように構成される、項目２５に記載の管状インプラント。
（項目２７）
前記第２の端部において、前記内側管状表面は、前記皮質骨の内壁と該皮質骨の外壁との間に前記アンカーの頭部の一部分を収容するポケットを画定する、項目２５に記載の管状インプラント。
（項目２８）
第１の細長い窓および該第１の細長い窓の反対側の第２の細長い窓を画定する管状壁をさらに含み、該第１および第２の細長い窓の各々は、アンカーの本体を受容し、該アンカーの係合特徴に係合するように構成される、項目２４に記載の管状インプラント。
（項目２９）
前記第１および第２の細長い窓は、前記アンカーを前記管状インプラントに対してある角度で協働して補強するように構成され、該角度は、該アンカーが該第１の細長い窓に進入する角度によって決定される、項目２８に記載の管状インプラント。
（項目３０）
拡張可能である、項目２４に記載の管状インプラント。
（項目３１）
アンカー受容セルのウェブを含む、項目３０に記載の管状インプラント。
（項目３２）
骨の端部を治療するための方法であって、該方法は、
該骨の縦軸を横断する細長い軟骨下空洞を準備することと、
該軟骨下空洞の中でアンカー受容セルのウェブを拡張することと、
該ウェブを該骨の一部分に固着されるアンカーと係合することと
を含む、方法。
（項目３３）
前記拡張することは、ウェブを拡張することを含み、該ウェブは、中心軸と、該中心軸に沿って変化する直径とを有する、項目３２に記載の方法。
（項目３４）
第１の細長い窓および該第１の細長い窓の反対側の第２の細長い窓を画定する管壁を含むアンカー受容骨支持材であって、該第１および第２の細長い窓の各々は、アンカーの本体によって横断され、該アンカーの係合特徴によって係合されるように構成される、支持材。
（項目３５）
前記第１および第２の細長い窓は、前記アンカーを前記管状インプラントに対してある角度で協働して補強するように構成され、該角度は、（ａ）該インプラントに垂直な角度から、（ｂ）該管状インプラントの外径、該アンカーの半径、および該第１の細長い窓の端部と該第２の細長い窓の端部との間の縦方向変位によって画定される角度まで及ぶ、項目３４に記載の支持材。
（項目３６）
前記管壁が第１の管壁であるとき、前記第１および第２の細長い窓に沿って異なる位置まで移動させられるように構成される横断スロットを有する第２の管壁をさらに含み、該横断スロットは、前記アンカーの本体によって横断され、該アンカーの係合特徴によって係合されるように構成される、項目３４に記載の支持材。
（項目３７）
前記第１の管壁は、前記第２の管壁の内側で入れ子になる、項目３６に記載の支持材。
（項目３８）
前記第２の管壁は、前記第１の管壁の内側で入れ子になる、項目３６に記載の支持材。
（項目３９）
前記第１の細長い窓、前記第２の細長い窓、および前記横断スロットは、前記アンカーを前記第１の管壁の縦軸に対する回転に対して協働して補強するように構成される、項目３６に記載の支持材。
（項目４０）
管状骨支持材であって、該骨支持材は、
アンカー受容セルの管状ウェブと、
該骨支持材を骨内部領域に送達するためのアクセス穴を鋸で切るように構成される、鋸歯のリングと
を含む、骨支持材。
（項目４１）
前記内部領域に送達された後に、骨支持材トラスの中に係止されるように構成される、項目４０に記載の管状骨支持材。
（項目４２）
前記ウェブと縦方向に連続している中実管をさらに含む、項目４０に記載の管状支持材。
（項目４３）
骨アンカー基板であって、該基板は、
アンカー受容特徴の第１のウェブを含む第１の細長い部材と、
アンカー受容特徴の第２のウェブを含む第２の細長い部材と
を含み、該第２の細長い部材は、骨の内部領域の中で該第１の細長い部材に平行に配備されるように構成される、基板。
（項目４４）
前記第１の細長い部材は、第１の送達状態直径を有し、内径を有するガイドチューブを通して前記内部領域に送達されるように構成されており、
前記第２の細長い部材は、第２の送達状態直径を有し、該ガイドチューブを通して該内部領域に送達されるように構成されており、
該第１の送達状態直径と第２の送達状態直径との合計は、該内径よりも大きい、項目４３に記載の骨アンカー基板。
（項目４５）
前記第１の細長い部材は、第１の送達状態直径を有し、内径を有するガイドチューブを通して前記内部領域に送達されるように構成されており、
前記第２の細長い部材は、第２の送達状態直径を有し、該ガイドチューブを通して該内部領域に送達されるように構成されており、
該第１の送達状態直径と第２の送達状態直径との合計は、該内径よりも小さい、項目４３に記載の骨アンカー基板。
（項目４６）
前記第１の細長い部材は、第１の縦軸を有し、
前記第２の細長い部材は、第２の縦軸を有し、
該第１および第２の細長い部材は、前記内部領域の中に配備されており、該第１の縦軸と第２の縦軸とは、実質的に平行である、項目４３に記載の骨アンカー基板。
（項目４７）
前記骨アンカー基板が中心軸を有するとき、
前記第１の細長い部材は、第１の縦軸を有し、
前記第２の細長い部材は、第２の縦軸を有し、
該第１および第２の細長い部材が拡張可能であるとき、該内部領域の中において、該第１および第２の縦軸は、該中心軸の周りに実質的に円錐形に配設される、項目４３に記載の骨アンカー基板。
（項目４８）
前記第１のウェブは、第１のアンカー受容特徴を含み、
前記第２のウェブは、第２のアンカー受容特徴を含み、
該第１および第２のアンカー受容特徴は、前記骨の断片を貫通する骨アンカーに係合するように相互に十分に整列させられる、項目４３に記載の骨アンカー基板。
（項目４９）
前記第１および第２の細長い部材は、細長い部材のグループの部材であり、該グループの各部材は、前記骨の前記内部領域の中に該グループの別の部材と平行に配備されるように構成される、項目４８に記載の骨アンカー基板。
（項目５０）
前記グループの第１の部材は、該グループの第２の部材を介して第１の骨の断片から第２の骨の断片まで荷重を伝達するように構成される、項目４９に記載の骨アンカー基板。
（項目５１）
前記グループの前記第１の部材と第２の部材とは、表面接触を介して相互に荷重を伝達する、項目５０記載の骨アンカー基板。
（項目５２）
前記グループの前記第１の部材と第２の部材とは、連結器を介して相互に荷重を伝達する、項目５０記載の骨アンカー基板。
（項目５３）
前記グループの前記第１の部材と第２の部材とは、アンカーを介して相互に荷重を伝達する、項目５０記載の骨アンカー基板。
（項目５４）
連結器をさらに含み、該連結器は、力に応答して前記第１の細長い部材からの前記第２の細長い部材の離反に抵抗するように構成される、項目４３記載の骨アンカー基板。
（項目５５）
前記連結器は、前記第１の細長い部材と前記第２の細長い部材との移動中の離反に骨アンカーによって抵抗するように構成される、項目４３記載の骨アンカー基板。
（項目５６）
前記連結器は、前記第１の細長い部材と前記第２の細長い部材との載荷中の離反に骨アンカーによって抵抗するように構成される、項目４３記載の骨アンカー基板。
（項目５７）
前記第１の細長い部材および前記第２の細長い部材のうちの１つは、拡張可能である、項目４３記載の骨アンカー基板。
（項目５８）
前記第１の細長い部材および前記第２の細長い部材のうちの１つは、該細長い部材の長さに沿って変化する半径を有する、項目４３記載の骨アンカー基板。
（項目５９）
前記第１のアンカー受容特徴は、開放セルのウェブの中に開放セルを含む、項目４３記載の骨アンカー基板。
（項目６０）
前記第１のアンカー受容特徴は、閉鎖セルのウェブの中に閉鎖セルを含む、項目４３記載の骨アンカー基板。
（項目６１）
前記第１のアンカー受容特徴は、アンカー受容スロットを画定する管状部分を含む、項目４３記載の骨アンカー基板。
（項目６２）
前記第１のアンカー受容特徴は、アンカー受容穴を画定する管状部分を含む、項目４３記載の骨アンカー基板。
（項目６３）
複数の細長い部材をさらに含み、前記連結器は、該複数の細長い部材の各々の離反、前記第１の細長い部材および前記第２の細長い部材の該複数の細長い部材のうちの別のものからの離反、ならびに該第１の細長い部材と該第２の細長い部材との離反に抵抗するようにさらに構成される、項目４３記載の骨アンカー基板。
骨を修復するための装置および方法が提供される。装置および方法は、第１の骨の断片から第２の骨の断片に機械的荷重を伝達するステップを含んでもよい。第１および第２の骨の断片は、骨の任意の領域の中にあってもよい。例えば、第１の骨の断片は、骨の端部にあってもよい。第２の骨の断片は、骨の骨幹領域の中にあってもよい。